(57)【要約】【課題】携帯電子機器において、映像、音声、振動などの複数の体感用出力装置を、ＣＰＵなどの制御部の負担を増やすことなく、且つ簡易な構成で、同時に動作させること。【解決手段】ＣＰＵなどの制御部からの１つの命令を、複数の体感用出力手段に共通の命令を同時に供給すること、あるいは、体感手段用コントローラからの駆動信号に基づいて現象検出手段で、他の体感手段用コントローラへの動作指令信号を形成することにより、複数の体感用出力手段を確実に同期して駆動する。【選択図】      図１
2004312090.tif 000002
【特許請求の範囲】
【請求項１】
ＣＰＵを含む制御手段と、異なる種類の複数の体感用出力手段と、前記制御手段からの動作指令信号を受けて、前記複数の体感用出力手段の各々に駆動信号を出力する、異なる種類の複数の体感手段用コントローラとを備え、
前記制御手段は、前記複数の体感手段用コントローラに同一特定現象を示す動作指令信号を共通に送出し、
前記複数の体感手段用コントローラの各々は、前記同一特定現象を示す動作指令信号に応じた駆動信号をそれぞれ形成し、対応する前記複数の体感用出力手段に出力し同期動作させることを特徴とする携帯電子機器。
【請求項２】
前記複数の体感用出力手段は、表示手段と、音声出力手段と、振動手段であり、前記複数の体感手段用コントローラは、前記表示手段のための表示用コントローラと、前記音声出力手段のための音声用コントローラと、前記振動手段のための振動用コントローラであることを特徴とする、請求項１の携帯電子機器。
【請求項３】
ＣＰＵを含む制御手段と、異なる種類の第１ないし第Ｎ（Ｎは、２以上の整数）の体感用出力手段と、前記制御手段からの動作指令信号を受けて、前記複数の体感用出力手段の各々に駆動信号を出力する、異なる種類の複数の体感手段用コントローラと、前記第１の体感手段用コントローラの駆動信号から、その駆動信号の基となった特定現象を示す動作指令信号を作成し、少なくとも第２の体感手段用コントローラに出力する第１現象検出手段と、を備え、
前記制御手段は、前記第１の体感手段用コントローラに特定現象を示す動作指令信号を送出し、
前記第１の体感手段用コントローラは、第１の体感用出力手段に前記特定現象を表す駆動信号を供給し、
少なくとも前記第２の体感手段用コントローラは、前記第１現象検出手段で検出された前記特定現象を示す動作指令信号を受けて、前記特定現象を表す駆動信号を形成して第２の体感用出力手段に前記特定現象を表す駆動信号を供給し、
対応する少なくとも前記第１，第２の体感用出力手段を同期動作させることを特徴とする携帯電子機器。
【請求項４】
前記第１の体感用出力手段は表示手段であり、前記第２の体感用出力手段は音声出力手段もしくは振動手段であり、前記第１の体感手段用コントローラは前記表示手段のための表示用コントローラであり、前記第２の体感手段用コントローラは前記音声出力手段のための音声用コントローラもしくは前記振動手段のための振動用コントローラであることを特徴とする、請求項３の携帯電子機器。
【請求項５】
さらに、撮影した映像データを前記表示用コントローラに供給する撮像手段を備え、
前記第１現象検出手段は、前記撮像手段からの映像データに基づく前記表示コントローラの駆動信号から、当該映像データに関連する特定現象を検出し、前記第２の体感用コントローラである音声用コントローラもしくは振動用コントローラに当該特定現象を示す動作指令信号を出力し、
前記第２の体感用コントローラである音声用コントローラもしくは振動用コントローラは、当該特定現象を表す駆動信号を前記音声出力手段もしくは前記振動手段に供給することを特徴とする、請求項４の携帯電子機器。
【発明の詳細な説明】
【０００１】
【発明の属する技術分野】
本発明は、携帯電話機などの携帯電子機器に関し、特に複数の体感用出力装置を同時に動作させる携帯電子機器に関する。
【０００２】
【従来の技術】
携帯電子機器において、その所有者が映像や、音声、振動などそれらの出力状態を、視覚、聴覚、触覚などで体感できるように構成することが行われている。
【０００３】
例えば、携帯電話機では、着信時に所定の音楽データを再生したり、振動或いは光が発生する等して着信を報知する。これらの音楽、振動、光などによる着信報知は１つだけでなく複数同時に発生させることがある。
【０００４】
従来、このような報知するデータを再生データ記憶手段に音声データ、振動データ、表示データとして記憶させておき、ＣＰＵなどによる再生制御手段によって所定タイミング信号にしたがって、報知するデータを再生データ記憶手段から読み出し、各データが同期して再生できるように制御を行う。これにより、音声データ、振動データ、表示データを同期して再生することが知られている（特許文献１参照）。
【０００５】
また、本来のメロディ情報とは異なる表示制御情報をメロディに同期して得ることができるようにするために、メロディを発音する場合にはメロディ音源で発音するためのメロディ用データを制御部の制御によってメモリから読み出し、メロディ音源に出力することで、メロディの波形を生成し増幅してスピーカから発音させる。このメロディ演奏と同時に、メロディ音源からＬＥＤ駆動用信号を出力することで、ＬＥＤ駆動回路によってＬＥＤが発光する。同様に、メロディ音源からバイブレータ駆動用信号を出力することで、バイブレータ駆動回路によってバイブレータを振動させ筐体を振動させることが知られている（特許文献２参照）。
【０００６】
【特許文献１】
特開２００１−２２８８７２号公報
【特許文献２】
特開２００２−１１１７９５号公報
【０００７】
【発明が解決しようとする課題】
しかし、再生データ記憶手段に音声データ、振動データ、表示データとして記憶させておき、ＣＰＵなどによる再生制御手段によってそれぞれの再生データを読み出して、再生するように制御する特許文献１の方法では、ＣＰＵのジョブの混雑度合いが激しい場合には、優先順位の高いジョブの割り込み発生などによって、順次行われるべき音声データ、振動データ、表示データの各指令に時間差が生じてしまい、体感上違和感を感じることもある。ＣＰＵに処理速度の速い高級なものを使用できればこの問題も軽減できる。しかし、可能な限りコストを低減するとともに、消費電流を低減したい携帯電話機用などでは高速処理が可能である高級なＣＰＵを採用することは困難であるから、各データを同期して再生することは困難である。
【０００８】
また、制御部によって読み出されたメロディ用データを、メロディ音源に供給してメロディの波形を生成するとともに、そのメロディ用データをＬＥＤ駆動回路やバイブレータ駆動回路にも供給して、ＬＥＤ駆動用信号や、バイブレータ駆動用信号を出力する特許文献２の方法では、ＬＥＤ駆動回路やバイブレータ駆動回路にメロディ用データを解析するための高度な機能を持たせる必要がある。
【０００９】
そこで、本発明は、映像や、音声、振動などの複数の体感用出力装置を、ＣＰＵなどの制御部の負担を増やすことなく、且つ簡易な構成で、同時に動作させることができる携帯電子機器を提供することを目的とする。
【００１０】
また、本発明は、映像や、音声、振動などの複数の体感用出力を備えた装置を、視覚障害者の福祉用の手段にも利用できる携帯電子機器を提供することを目的とする。
【００１１】
【課題を解決するための手段】
請求項１の携帯電子機器は、ＣＰＵを含む制御手段と、異なる種類の複数の体感用出力手段と、前記制御手段からの動作指令信号を受けて、前記複数の体感用出力手段の各々に駆動信号を出力する、異なる種類の複数の体感手段用コントローラとを備え、
前記制御手段は、前記複数の体感手段用コントローラに同一特定現象を示す動作指令信号を共通に送出し、
前記複数の体感手段用コントローラの各々は、前記同一特定現象を示す動作指令信号に応じた駆動信号をそれぞれ形成し、対応する前記複数の体感用出力手段に出力し同期動作させることを特徴とする。
【００１２】
請求項２の携帯電子機器は、請求項１の携帯電子機器において、前記複数の体感用出力手段は、表示手段と、音声出力手段と、振動手段であり、前記複数の体感手段用コントローラは、前記表示手段のための表示用コントローラと、前記音声出力手段のための音声用コントローラと、前記振動手段のための振動用コントローラであることを特徴とする。
【００１３】
請求項３の携帯電子機器は、ＣＰＵを含む制御手段と、異なる種類の第１ないし第Ｎ（Ｎは、２以上の整数）の体感用出力手段と、前記制御手段からの動作指令信号を受けて、前記複数の体感用出力手段の各々に駆動信号を出力する、異なる種類の複数の体感手段用コントローラと、前記第１の体感手段用コントローラの駆動信号から、その駆動信号の基となった特定現象を示す動作指令信号を作成し、少なくとも第２の体感手段用コントローラに出力する第１現象検出手段と、を備え、
前記制御手段は、前記第１の体感手段用コントローラに特定現象を示す動作指令信号を送出し、
前記第１の体感手段用コントローラは、第１の体感用出力手段に前記特定現象を表す駆動信号を供給し、
少なくとも前記第２の体感手段用コントローラは、前記第１現象検出手段で検出された前記特定現象を示す動作指令信号を受けて、前記特定現象を表す駆動信号を形成して第２の体感用出力手段に前記特定現象を表す駆動信号を供給し、
対応する少なくとも前記第１，第２の体感用出力手段を同期動作させることを特徴とする。
【００１４】
請求項４の携帯電子機器は、請求項３の携帯電子機器において、前記第１の体感用出力手段は表示手段であり、前記第２の体感用出力手段は音声出力手段もしくは振動手段であり、前記第１の体感手段用コントローラは前記表示手段のための表示用コントローラであり、前記第２の体感手段用コントローラは前記音声出力手段のための音声用コントローラもしくは前記振動手段のための振動用コントローラであることを特徴とする。
【００１５】
請求項５の携帯電子機器は、請求項４の携帯電子機器において、さらに、撮影した映像データを前記表示用コントローラに供給する撮像手段を備え、
前記第１現象検出手段は、前記撮像手段からの映像データに基づく前記表示コントローラの駆動信号から、当該映像データに関連する特定現象を検出し、前記第２の体感用コントローラである音声用コントローラもしくは振動用コントローラに当該特定現象を示す動作指令信号を出力し、
前記第２の体感用コントローラである音声用コントローラもしくは振動用コントローラは、当該特定現象を表す駆動信号を前記音声出力手段もしくは前記振動手段に供給することを特徴とする。
【００１６】
【発明の実施の形態】
以下、本発明の携帯電子機器の実施の形態について、図を参照して説明する。図１は、本発明の第１の実施の形態に係る携帯電子機器の構成を示す図であり、携帯電話機を例として以下説明する。
【００１７】
図１において、ＣＰＵ１は携帯電話機の全体の制御を司る制御手段であり、ＲＡＭ２は出力するべきデータを記憶する一時メモリや制御に伴う作業メモリとなる記憶手段であり、ＲＯＭ３は固定的に利用されるデータを記憶する固定メモリやプログラムデータなどが記憶される記憶手段である。
【００１８】
操作部４は、キーボードなどの操作スイッチ類が設けられ、その操作に応じた信号がＣＰＵ１に供給される。送受信部５は、外部の基地局等との間での通信を行う。これらがバスライン６により結合される。
【００１９】
ＬＣＤコントローラ１１は、体感手段用コントローラの１つであり、ＣＰＵ１からの表示用動作指令信号に応じて動作し、体感用出力手段の１つである表示手段としてのＬＣＤ表示パネル１２の表示のための駆動信号を出力する。このＬＣＤコントローラ１１は、例えば、外部Ｉ／Ｆ回路、表示制御部、駆動電圧などの発生回路、液晶駆動回路等を備えた、通常使用される表示ドライバＩＣ等で構成することができる。他のコントローラも同様であり、通常用いられる音源用や振動用ドライバＩＣなどで構成できる。
【００２０】
音源コントローラ２１は、体感手段用コントローラの１つであり、ＣＰＵ１からの音声用動作指令信号に応じて動作し、体感用出力手段の１つである音声出力手段としてのスピーカ２２の音声出力のための駆動信号を出力する。
【００２１】
振動コントローラ３１は、体感手段用コントローラの１つであり、ＣＰＵ１からの振動用動作指令信号に応じて動作し、体感用出力手段の１つである振動手段としてのバイブレータ３２の振動のための駆動信号を出力する。
【００２２】
なお、携帯電話機としては、これらの他に色々な構成要素が付加されるが、本発明に直接関係しないので、記載を省略している。
【００２３】
この携帯電話機においては、通常動作時には、ＣＰＵ１から表示パネル１２に表示させるための表示用動作指令信号がＬＣＤコントローラ１１に供給され、ＬＣＤコントローラ１１はその表示用動作指令信号にしたがって表示用の駆動信号を発生する。この動作は、音源コントローラ２１，スピーカ２２及び振動コントローラ３１、バイブレータ３２においても同様に、それぞれＣＰＵ１からの音声用動作指令信号や振動用動作指令信号にしたがって、動作する。
【００２４】
着信時等においては、着信に応じて表示パネル１２やスピーカ２２やバイブレータ３２などを同時に駆動するようにして、いずれかの動作状態（表示、音声、振動）を体感して着信のあったことを認識する。この着信時における表示パネル１２、スピーカ２２、バイブレータ３２の動作は、同期していることに越したことはないが、いずれかの動作状態が認識できれば良いから、ほぼ同期していれば良い。
【００２５】
最近の携帯電話機では、その機能が拡充されてきており、その１つの例としてゲーム機としての機能を備えるようになってきている。
【００２６】
携帯電話機をゲーム機として用いる場合には、そのゲームの興趣を上げるために、特定の現象の発生時に、表示パネル１２、スピーカ２２、バイブレータ３２を同期してその特定現象に応答して、体感を同期させることが要求されている。この特定現象としては、例えば爆発シーン、打撃シーンや、その他急激な変化を伴うシーンが想定される。
【００２７】
特定現象として爆発シーンを考えると、この図１の第１実施の形態では、爆発を表現する１つの共通の命令として共通動作指令信号ＣＭＣをＣＰＵ１で発生し、バスライン６を介してＬＣＤコントローラ１１、音源コントローラ２１、振動コントローラ３１に同時に供給する。この共通動作指令信号ＣＭＣは、図中矢印付き破線で示されている。
【００２８】
爆発を表現する共通動作指令信号ＣＭＣを受けて、ＬＣＤコントローラ１１では爆発シーンを表示する駆動信号を発生し表示パネル１２に供給する。  同様に、音源コントローラ２１、振動コントローラ３１では爆発シーンに対応した音声出力、振動出力のための駆動信号をそれぞれ発生し、スピーカ２２、バイブレータ３２に供給する。
【００２９】
この第１の実施の形態によれば、ＣＰＵ１からは、爆発シーンを表現する体感用出力手段の数に関係なく、爆発を表現する１つの共通の命令を出すだけで良いから、例えＣＰＵ１のジョブの混雑度合いが激しい場合でも、複数の体感用出力手段を確実に同期して駆動することができる。
【００３０】
図２は、本発明の第２の実施の形態に係る携帯電子機器の構成を示す図であり、携帯電話機を例として以下説明する。
【００３１】
図２において、図１の第１の実施の形態とは、第１現象検出手段４０と第２現象検出手段５０とを設けている点及びこの点と関連する部分構成で異なっており、その他の点では同様の構成である。
【００３２】
第１現象検出手段４０は、ＬＣＤコントローラ１１から出力される駆動信号に基づいて、その駆動信号の基となった特定現象（例えば、爆発）を示す動作指令信号ＣＭ１を作成し、音源コントローラ２１に出力する。動作指令信号ＣＭ１は、図中矢印付き破線で示されている。音源コントローラ２１は、動作指令信号ＣＭ１を受けてスピーカ２２に特定現象（例えば、爆発）を表現する音声用駆動信号を発生する。
【００３３】
第２現象検出手段５０は、音源コントローラ２１から出力される駆動信号に基づいて、同様にその駆動信号の基となった特定現象（例えば、爆発）を示す動作指令信号ＣＭ１を作成し、振動コントローラ３１に出力する。振動コントローラ３１は、動作指令信号ＣＭ１を受けてバイブレータ３２に特定現象（例えば、爆発）を表現する振動用駆動信号を発生する。
【００３４】
この第１現象検出手段４０及び第２現象検出手段５０は、映像用駆動信号や音声用駆動信号の輝度値や音量の時間的変化やその特定のパターン等に基づいて、その駆動信号の基となった特定現象を対応するようにデコードした出力を発生するデコーダ等を含んで構成することができる。
【００３５】
この図２の第２の実施の形態において、同様に特定現象として爆発シーンを考えると、爆発を表現する１つの命令として動作指令信号ＣＭ１をＣＰＵ１で発生し、バスライン６を介してＬＣＤコントローラ１１にのみに供給する。
【００３６】
ＬＣＤコントローラ１１は、爆発を表現する動作指令信号ＣＭ１を受けて、爆発シーンを表示する駆動信号を発生し表示パネル１２に供給し、表示パネル１２で爆発シーンを表示する。
【００３７】
このとき、爆発シーンを表示する駆動信号が第１現象検出手段４０で検出されて、爆発シーンに応じた動作指令信号ＣＭ１を発生して音源コントローラ２１に供給し、音源コントローラ２１で爆発シーンに応じた音声用駆動信号を発生しスピーカ２２に供給し、スピーカ２２で爆発シーンに応じた音声を出力する。
【００３８】
また、爆発シーンを音声出力する駆動信号が第２現象検出手段５０で検出されて、爆発シーンに応じた動作指令信号ＣＭ１を発生して振動コントローラ３１に供給し、振動コントローラ３１で爆発シーンに応じた振動用駆動信号を発生しバイブレータ３２に供給し、バイブレータ３２で爆発シーンに応じた振動を出力する。
【００３９】
この図２では、第１現象検出手段４０及び第２現象検出手段５０を用いたが、第１現象検出手段４０からの動作指令信号ＣＭ１を音源コントローラ２１及び振動コントローラ３１に供給するように構成して、第２現象検出手段５０を省略することもできる。
【００４０】
この第２の実施の形態によれば、ＣＰＵ１からは、爆発シーンを表現する体感用出力手段の数に関係なく、爆発を表現する１つの命令である動作指令信号ＣＭ１をＬＣＤコントローラ１１に出すだけで良い。そして、ＬＣＤコントローラ１１から出力される表示用駆動信号からその駆動信号の基となった特定現象（爆発）を示す動作指令信号ＣＭ１を作成し、他の体感手段用コントローラである音源コントローラ２１に出力する。さらに、音源コントローラ２１から出力される音声用駆動信号からその駆動信号の基となった特定現象（爆発）を示す動作指令信号ＣＭ１を作成し、他の体感手段用コントローラである振動コントローラ３１に出力する。
【００４１】
このように、１つの体感手段用コントローラからの駆動信号に基づいて、他の体感手段用コントローラへの動作指令信号ＣＭ１を形成するから、例えＣＰＵ１のジョブの混雑度合いが激しい場合でも、複数の体感用出力手段を確実に同期して駆動することができる。
【００４２】
図３は、本発明の第３の実施の形態に係る携帯電子機器の構成を示す図であり、携帯電話機を例として以下説明する。
【００４３】
図３において、図２の第２の実施の形態とは、撮像手段としてカメラ６０を設けている点で異なっており、このカメラ６０の映像データは、ＣＰＵ１を介さずに、直接ＬＣＤコントローラ１１に供給されている。なお、カメラ６０の映像データは、ＲＡＭ２にも供給され、送受信部５を通して外部へ送信できるように記憶される。その他の点では、図２の第２の実施の形態と同様の構成である。
【００４４】
図３において、この携帯電話機の所有者が、カメラ６０で例えば進行方向の情景を撮影しながら歩行する場合に、カメラ６０からはその進行方向の映像データがＬＣＤコントローラ１１に順次供給され、その映像データに基づく表示用駆動信号がＬＣＤコントローラ１１から表示パネル１２に供給される。
【００４５】
その表示用駆動信号は、カメラ６０で撮影された情景の、場面の明るさ、被写体の接近度、周辺の混雑具合、それらの変化の早さなどの特定の現象を含んでいる。
【００４６】
それらの特定の現象を、第１現象検出手段４０によって、それに対応する映像用駆動信号の輝度値や映像の特定パターンあるいはそれらの時間的変化等に基づいて、検出する。
【００４７】
そして、第１現象検出手段４０から検出された特定現象に対応するようにデコードされた動作指令信号ＣＭ２を音源コントローラ２１や振動コントローラ３１に、図２と同様に供給する。これにより、カメラ６０で撮影した情景やその変化に応じて、表示パネル１２だけでなく、スピーカ２２やバイブレータ３２から音声および振動にて所有者に知らせることができる。
【００４８】
この図３の第３の実施の形態における携帯電話機は、その所有者が視覚障害者である場合に特に有効に機能する。
【００４９】
視覚障害者がその携帯電話機のカメラ６０で前方を撮影しながら歩行すると、前方に歩行の妨げとなるような障害物などがある場合に、その障害物などに応じた動作指令信号ＣＭ２が発生され、スピーカ２２から警報音が発生されるとともに、バイブレータ３２から警報振動が発生される。
【００５０】
視覚障害者は、これらの警報音や警報振動により障害物の存在を察知し、危険を事前に避けるようにすることができるから、携帯電話機を福祉用の機器としても有効に用いることができる。
【００５１】
【発明の効果】
本発明によれば、携帯電話機などの携帯電子機器において、映像や、音声、振動などの複数の体感用出力装置を、ＣＰＵなどの制御部からただ１つの命令により確実に同時に動作させる。従って、ＣＰＵなどの制御部の負担を増やすことなく、また高級なＣＰＵなどを使用する必要がなく簡易な構成で、複数の体感同期を実現できる。
【００５２】
また、ＣＰＵなどの制御部からのただ１つの命令を、複数の体感用出力手段に共通にかつ同時に供給するだけで、複数の体感用出力手段を確実に同期して駆動できる。
【００５３】
また、体感手段用コントローラからの駆動信号に基づいて現象検出手段で、他の体感手段用コントローラへの動作指令信号を形成するから、複数の体感用出力手段を確実に同期して駆動することができる。
【００５４】
さらに、撮影した映像データを表示用コントローラに供給する撮像手段を備え、この表示用コントローラからの駆動信号に基づいて現象検出手段で、他の音声用や振動用コントローラへの動作指令信号を形成するから、視覚障害者のための福祉用の機器としても有効に用いることができる。
【図面の簡単な説明】
【図１】本発明の第１の実施の形態に係る携帯電子機器の構成を示す図。
【図２】本発明の第２の実施の形態に係る携帯電子機器の構成を示す図。
【図３】本発明の第３の実施の形態に係る携帯電子機器の構成を示す図。
【符号の説明】
１  ＣＰＵ
２  ＲＡＭ
３  ＲＯＭ
４  操作部
５  送受信部
６  バスライン
１１  ＬＣＤコントローラ
１２  表示パネル
２１  音源コントローラ
２２  スピーカ
３１  振動コントローラ
３２  バイブレータ
４０  第１現象検出手段
５０  第２現象検出手段
６０  カメラ
【図１】
2004312090.tif 000003
【図２】
2004312090.tif 000004
【図３】
2004312090.tif 000005